(57)【要約】【課題】発電設備を系統に連系するための系統連系インバータにおいて、発電設備の最大電力追従と共に、系統連系インバータの電力変換損失を最小化することで発電電力を有効利用することを目的とする。【解決手段】太陽電池からの直流発電電力を最適な電圧に昇圧する直流−直流変換手段１と、直流−直流変換手段１により変換した直流電力を交流電力に変換する直流−交流変換手段２と、電力変換損失を最小化するように直流−交流変換手段２を制御する直流電圧最適化手段３を備える構成とすることで、太陽電池からの発電電力を最大限取り出すと共に、直流−直流変換手段１及び直流−交流変換手段２の電力変換損失を最小化することができる効果が得られる。【選択図】図１
2006101581.tif 000002
【特許請求の範囲】
【請求項１】
直流発電手段により発電した直流電力を最適な電圧に昇圧する直流−直流変換手段と、前記直流−直流変換手段により変換した直流電力を交流電力に変換する直流−交流変換手段と、電力変換損失を最小化するように直流−交流変換手段を制御する直流電圧最適化手段を備えたことを特徴とする系統連系インバータ。
【請求項２】
直流電圧最適化手段は、直流−直流変換手段の電力変換損失を最小化するように制御することを特徴とする請求項１に記載の系統連系インバータ。
【請求項３】
直流電圧最適化手段は、直流−交流変換手段の電力変換損失を最小化するように制御することを特徴とする請求項１に記載の系統連系インバータ。
【請求項４】
直流電圧最適化手段は、直流−直流変換手段と直流−交流変換手段の電力変換損失の総和を最小化するように制御することを特徴とする請求項１に記載の系統連系インバータ。
【請求項５】
直流電圧最適化手段は、太陽電池などの直流発電手段の発電電力に応じて電力変換損失を最小化するように直流−交流変換手段の入力電圧を上下変更することを特徴とする請求項１に記載の系統連系インバータ。
【請求項６】
直流電圧最適化手段は、太陽電池などの直流発電手段の発電電圧に応じて電力変換損失を最小化するように直流−交流変換手段の入力電圧を上下変更することを特徴とする請求項１に記載の系統連系インバータ。
【請求項７】
直流電圧最適化手段は、太陽電池などの直流発電手段の発電電流に応じて電力変換損失を最小化するように直流−交流変換手段の入力電圧を上下変更することを特徴とする請求項１に記載の系統連系インバータ。
【請求項８】
直流電圧最適化手段は、連系する系統の電圧に応じて電力変換損失を最小化するように直流−交流変換手段の入力電圧を上下変更することを特徴とする請求項１に記載の系統連系インバータ。
【請求項９】
直流電圧最適化手段は、直流−交流変換手段の出力電流指令値に応じて電力変換損失を最小化するように直流−交流変換手段の入力電圧を上下変更することを特徴とする請求項１に記載の系統連系インバータ。
【請求項１０】
直流電圧最適化手段は、直流−交流変換手段の入力電流に応じて電力変換損失を最小化するように直流−交流変換手段の入力電圧を上下変更することを特徴とする請求項１に記載の系統連系インバータ。
【請求項１１】
直流電圧最適化手段は、直流−交流変換手段の入力電力に応じて電力変換損失を最小化するように直流−交流変換手段の入力電圧を上下変更することを特徴とする請求項１に記載の系統連系インバータ。
【請求項１２】
直流電圧最適化手段は、連系する系統の電圧あるいは直流−交流変換手段の出力電流指令値あるいは直流−交流変換手段の入力電流あるいは直流−交流変換手段の入力電力の少なくとも何れか一つ以上と太陽電池などの直流発電手段の発電電力あるいは太陽電池などの直流発電手段の発電電圧あるいは太陽電池などの直流発電手段の発電電流の少なくとも何れか一つ以上に応じて電力変換損失を最小化するように直流−交流変換手段の入力電圧を上下変更することを特徴とする請求項１に記載の系統連系インバータ。
【請求項１３】
直流−交流変換手段は、系統の電圧が所定電圧の範囲である場合、直流入力電圧が過不足とならないように定電圧に制御するように動作することを特徴とする請求項１に記載の系統連系インバータ。
【請求項１４】
直流−交流変換手段は、系統の電圧が所定電圧の範囲を超えた場合、交流出力電力が過不足とならないように定電力に制御するように動作することを特徴とする請求項１に記載の系統連系インバータ。
【請求項１５】
直流−交流変換手段は、系統の電圧が所定電圧の範囲を超えた場合、交流出力電流が過不足とならないように定電流に制御するように動作することを特徴とする請求項１に記載の系統連系インバータ。
【請求項１６】
直流電圧最適化手段は、太陽電池などの直流発電手段の最大電力追従制御による発電電力の取り出し時の損失と電力変換による損失とを比較し、低損失の制御を優先して直流−直流変換手段の指令電流あるいは直流−交流変換手段の指令電流少なくとも何れか一方を制御することを特徴とする請求項１に記載の系統連系インバータ。
【発明の詳細な説明】
【技術分野】
【０００１】
本発明は、インバータ技術を利用した系統連系インバータに関する。
【背景技術】
【０００２】
近年、一般家庭の負荷の増加による化石燃料の枯渇、地球温暖化問題などが生じており、太陽光発電システムや節電装置、あるいは系統電圧の安定化装置などによる、クリーンエネルギーの利用や省エネルギー装置が求められている。
【０００３】
従来、この種の系統連系インバータは、発電装置の発電電力を系統側に連系する系統連系電力変換装置として、直流電源の電圧変動を検知し、検知した電圧変動量により直流電源の最大電力点で動作させるものが知られている（例えば、特許文献１参照）。
【０００４】
以下、その系統連系インバータについて図１３を参照しながら説明する。
【０００５】
図１３に示すように、直流電源１１の電圧は入力コンデンサ１２で平滑された後、昇圧コンバータ１３で系統電圧より高い電圧に昇圧される。昇圧コンバータ１３の出力は中間コンデンサ１４で平滑され、インバータ１５に入力される。インバータ１５は昇圧コンバータ１３の出力を交流電力に変換し、系統１６に同期した交流電流を注入する。また、系統１６の１／２周期内における直流電源１１の電圧変動は入力電圧変動検知手段１８で検出され、制御回路１７に出力される。制御回路１７は直流電源１１から引き出す電力が最大となるように昇圧コンバータ１３とインバータ１５を構成するスイッチング素子のオン時間を決定している。
【特許文献１】特開２００４−１３５４０９号公報
【発明の開示】
【発明が解決しようとする課題】
【０００６】
このような従来の系統連系インバータでは、直流電源例えば太陽電池からの発電電力が特に少ない場合などは、発電電力の最大電力追従のための最適制御となるため、系統連系インバータにおける電力損失比率が大きくなり、発電電力の有効利用率が下がるという課題があり、発電電力を最大とするのみでなく、系統連系インバータの内部損失を最小とすることが要求されている。
【０００７】
本発明は、このような従来の課題を解決するものであり、太陽電池の発電電力の有効利用率の向上と系統連系インバータの内部損失の最小化を両立することができる系統連系インバータを提供することを目的としている。
【課題を解決するための手段】
【０００８】
本発明の系統連系インバータは上記目的を達成するために、太陽電池などの直流発電手段により発電した直流電力を最適な電圧に昇圧する直流−直流変換手段と、前記直流−直流変換手段により変換した直流電力を交流電力に変換する直流−交流変換手段と、電力変換損失を最小化するように直流−交流変換手段を制御する直流電圧最適化手段を備える構成としたものである。
【０００９】
この手段により、太陽電池の発電電力の有効利用率の向上と系統連系インバータの内部損失の最小化を両立することができる系統連系インバータが得られる。
【００１０】
また、直流電圧最適化手段は、直流−直流変換手段の電力変換損失を最小化するように制御する構成としたものである。
【００１１】
この手段により、太陽電池の発電電力の有効利用率の向上と系統連系インバータの直流−直流変換手段の損失の最小化を両立することができる系統連系インバータが得られる。
【００１２】
さらに、直流電圧最適化手段は、直流−交流変換手段の電力変換損失を最小化するように制御する構成としたものである。
【００１３】
この手段により、太陽電池の発電電力の有効利用率の向上と系統連系インバータの直流−交流変換手段の損失の最小化を両立することができる系統連系インバータが得られる。
【００１４】
また、直流電圧最適化手段は、直流−直流変換手段と直流−交流変換手段の電力変換損失の総和を最小化するように制御する構成としたものである。
【００１５】
この手段により、太陽電池の発電電力の有効利用率の向上と系統連系インバータの直流−直流変換手段及び直流−交流変換手段の損失の最小化を両立することができる系統連系インバータが得られる。
【００１６】
さらに、直流電圧最適化手段は、太陽電池などの直流発電手段の発電電力に応じて電力変換損失を最小化するように直流−交流変換手段の入力電圧を上下変更する構成としたものである。
【００１７】
この手段により、太陽電池の発電電圧を昇圧する直流−直流変換手段の変換効率を向上、すなわち電力変換損失の最小化と太陽電池の発電電力の有効利用率の向上を両立することができる系統連系インバータが得られる。
【００１８】
また、直流電圧最適化手段は、太陽電池などの直流発電手段の発電電圧に応じて電力変換損失を最小化するように直流−交流変換手段の入力電圧を上下変更する構成としたものである。
【００１９】
この手段により、太陽電池の発電電力を最大とする最適電圧に制御すると共に、直流−交流変換手段の入力電圧を最適に制御することができ、直流−交流変換手段の電力損失の最小化すなわち系統連系インバータの内部損失の最小化を両立することができる系統連系インバータが得られる。
【００２０】
さらに、直流電圧最適化手段は、太陽電池などの直流発電手段の発電電流に応じて電力変換損失を最小化するように直流−交流変換手段の入力電圧を上下変更する構成としたものである。
【００２１】
この手段により、太陽電池の発電電流による配線インピーダンスの損失を低減するように制御することができ、系統連系インバータの内部損失の最小化、及び太陽電池の最大電力追従制御を同時に行なうことで有効利用率を向上させることができる系統連系インバータが得られる。
【００２２】
また、直流電圧最適化手段は、連系する系統の電圧に応じて電力変換損失を最小化するように直流−交流変換手段の入力電圧を上下変更する構成としたものである。
【００２３】
この手段により、太陽電池の発電電力の有効利用率の向上と系統連系インバータの直流−交流変換手段の変換効率向上すなわち系統連系インバータの内部損失の最小化を両立することができる系統連系インバータが得られる。
【００２４】
さらに、直流電圧最適化手段は、直流−交流変換手段の出力電流指令値に応じて電力変換損失を最小化するように直流−交流変換手段の入力電圧を上下変更する構成としたものである。
【００２５】
この手段により、直流−交流変換手段の出力電流の目標値から、入力電圧を最適に制御することができ、系統連系インバータの内部損失の最小化と太陽電池の発電電力の有効利用率の向上を両立することができる系統連系インバータが得られる。
【００２６】
また、直流電圧最適化手段は、直流−交流変換手段の入力電流に応じて電力変換損失を最小化するように直流−交流変換手段の入力電圧を上下変更する構成としたものである。
【００２７】
この手段により、太陽電池の発電電力の有効利用率の向上と系統連系インバータの直流−直流変換手段と直流−交流変換手段の損失の最小化を両立することができる系統連系インバータが得られる。
【００２８】
さらに、直流電圧最適化手段は、直流−交流変換手段の入力電力に応じて電力変換損失を最小化するように直流−交流変換手段の入力電圧を上下変更する構成としたものである。
【００２９】
この手段により、太陽電池の発電電力の有効利用率の向上と直流−交流変換手段の損失の最小化を両立することができる系統連系インバータが得られる。
【００３０】
また、直流電圧最適化手段は、連系する系統の電圧あるいは直流−交流変換手段の出力電流指令値あるいは直流−交流変換手段の入力電流あるいは直流−交流変換手段の入力電力の少なくとも何れか一つ以上と太陽電池などの直流発電手段の発電電力あるいは太陽電池などの直流発電手段の発電電圧あるいは太陽電池などの直流発電手段の発電電流の少なくとも何れか一つ以上に応じて電力変換損失を最小化するように直流−交流変換手段の入力電圧を上下変更する構成としたものである。
【００３１】
この手段により、太陽電池の発電電力の有効利用率の向上と系統連系インバータの直流−直流変換手段及び直流−交流変換手段の損失の最小化を両立することができる系統連系インバータが得られる。
【００３２】
さらに、直流−交流変換手段は、系統の電圧が所定電圧の範囲である場合、直流入力電圧が過不足とならないように定電圧に制御するように動作する構成としたものである。
【００３３】
この手段により、太陽電池の発電電力の有効利用率の向上と系統連系インバータの直流−交流変換手段を単純な直流側の定電圧制御のみで制御できると共に、内部損失の最小化を両立することができる系統連系インバータが得られる。
【００３４】
また、直流−交流変換手段は、系統の電圧が所定電圧の範囲を超えた場合、交流出力電力が過不足とならないように定電力に制御する構成としたものである。
【００３５】
この手段により、太陽電池の発電電力が過剰となった場合、系統連系インバータの内部損失の最小化させると共に、装置の内部発熱を低減、すなわち装置の長寿命化を図ることができる系統連系インバータが得られる。
【００３６】
さらに、直流−交流変換手段は、系統の電圧が所定電圧の範囲を超えた場合、交流出力電流が過不足とならないように定電流に制御する構成としたものである。
【００３７】
この手段により、太陽電池の発電電力が過剰となった場合、系統連系インバータの内部損失の最小化させると共に、装置の内部発熱を低減、すなわち装置の長寿命化を図ることができる系統連系インバータが得られる。
【００３８】
また、直流電圧最適化手段は、太陽電池などの直流発電手段の最大電力追従制御による発電電力の取り出し時の損失と電力変換による損失とを比較し、低損失の制御を優先して直流−直流変換手段の指令電流あるいは直流−交流変換手段の指令電流少なくとも何れか一方を制御する構成としたものである。
【００３９】
この手段により、系統連系インバータで内部損失となる太陽電池の発電電力の過剰な入力を抑えることができると共に、系統側に変換損失を加味した最大出力を行なうことが出来る系統連系インバータが得られる。
【発明の効果】
【００４０】
本発明によれば、太陽電池などの直流発電手段により発電した直流電力を最適な電圧に昇圧する直流−直流変換手段と、前記直流−直流変換手段により変換した直流電力を交流電力に変換する直流−交流変換手段と、電力変換損失を最小化するように直流−交流変換手段を制御する直流電圧最適化手段を備える構成とすることで、太陽電池の発電電力の有効利用率の向上と系統連系インバータの内部損失の最小化を両立することができるという効果のある系統連系インバータを提供できる。
【００４１】
また、直流電圧最適化手段は、直流−直流変換手段の電力変換損失を最小化するように制御する構成とすることで、太陽電池の発電電力の有効利用率の向上と系統連系インバータの直流−直流変換手段の損失の最小化を両立することができるという効果のある系統連系インバータを提供できる。
【００４２】
さらに、直流電圧最適化手段は、直流−交流変換手段の電力変換損失を最小化するように制御する構成とすることで、太陽電池の発電電力の有効利用率の向上と系統連系インバータの直流−交流変換手段の損失の最小化を両立することができるという効果のある系統連系インバータを提供できる。
【００４３】
また、直流電圧最適化手段は、直流−直流変換手段と直流−交流変換手段の電力変換損失の総和を最小化するように制御する構成とすることで、太陽電池の発電電力の有効利用率の向上と系統連系インバータの直流−直流変換手段及び直流−交流変換手段の損失の最小化を両立することができるという効果のある系統連系インバータを提供できる。
【００４４】
さらに、直流電圧最適化手段は、太陽電池などの直流発電手段の発電電力に応じて電力変換損失を最小化するように直流−交流変換手段の入力電圧を上下変更する構成とすることで、太陽電池の発電電圧を昇圧する直流−直流変換手段の変換効率を向上、すなわち電力変換損失の最小化と太陽電池の発電電力の有効利用率の向上を両立することができるという効果のある系統連系インバータを提供できる。
【００４５】
また、直流電圧最適化手段は、太陽電池などの直流発電手段の発電電圧に応じて電力変換損失を最小化するように直流−交流変換手段の入力電圧を上下変更する構成とすることで、太陽電池の発電電力を最大とする最適電圧に制御すると共に、直流−交流変換手段の入力電圧を最適に制御することができ、直流−交流変換手段の電力損失の最小化すなわち系統連系インバータの内部損失の最小化を両立することができるという効果のある系統連系インバータを提供できる。
【００４６】
さらに、直流電圧最適化手段は、太陽電池などの直流発電手段の発電電流に応じて電力変換損失を最小化するように直流−交流変換手段の入力電圧を上下変更する構成とすることで、太陽電池の発電電流による配線インピーダンスの損失を低減するように制御することができ、系統連系インバータの内部損失の最小化、及び太陽電池の最大電力追従制御を同時に行なうことで有効利用率を向上させることができるという効果のある系統連系インバータを提供できる。
【００４７】
また、直流電圧最適化手段は、連系する系統の電圧に応じて電力変換損失を最小化するように直流−交流変換手段の入力電圧を上下変更する構成とすることで、太陽電池の発電電力の有効利用率の向上と系統連系インバータの直流−交流変換手段の変換効率向上すなわち系統連系インバータの内部損失の最小化を両立することができるという効果のある系統連系インバータを提供できる。
【００４８】
さらに、直流電圧最適化手段は、直流−交流変換手段の出力電流指令値に応じて電力変換損失を最小化するように直流−交流変換手段の入力電圧を上下変更する構成とすることで、直流−交流変換手段の出力電流の目標値から、入力電圧を最適に制御することができ、系統連系インバータの内部損失の最小化と太陽電池の発電電力の有効利用率の向上を両立することができるという効果のある系統連系インバータを提供できる。
【００４９】
また、直流電圧最適化手段は、直流−交流変換手段の入力電流に応じて電力変換損失を最小化するように直流−交流変換手段の入力電圧を上下変更する構成とすることで、太陽電池の発電電力の有効利用率の向上と系統連系インバータの直流−直流変換手段と直流−交流変換手段の損失の最小化を両立することができるという効果のある系統連系インバータを提供できる。
【００５０】
さらに、直流電圧最適化手段は、直流−交流変換手段の入力電力に応じて電力変換損失を最小化するように直流−交流変換手段の入力電圧を上下変更する構成とすることで、太陽電池の発電電力の有効利用率の向上と直流−交流変換手段の損失の最小化を両立することができるという効果のある系統連系インバータを提供できる。
【００５１】
また、直流電圧最適化手段は、連系する系統の電圧あるいは直流−交流変換手段の出力電流指令値あるいは直流−交流変換手段の入力電流あるいは直流−交流変換手段の入力電力の少なくとも何れか一つ以上と太陽電池などの直流発電手段の発電電力あるいは太陽電池などの直流発電手段の発電電圧あるいは太陽電池などの直流発電手段の発電電流の少なくとも何れか一つ以上に応じて電力変換損失を最小化するように直流−交流変換手段の入力電圧を上下変更する構成とすることで、太陽電池の発電電力の有効利用率の向上と系統連系インバータの直流−直流変換手段及び直流−交流変換手段の損失の最小化を両立することができるという効果のある系統連系インバータを提供できる。
【００５２】
さらに、直流−交流変換手段は、系統の電圧が所定電圧の範囲である場合、直流入力電圧が過不足とならないように定電圧に制御するように動作する構成とすることで、太陽電池の発電電力の有効利用率の向上と系統連系インバータの直流−交流変換手段を単純な直流側の定電圧制御のみで制御できると共に、内部損失の最小化を両立することができるという効果のある系統連系インバータを提供できる。
【００５３】
また、直流−交流変換手段は、系統の電圧が所定電圧の範囲を超えた場合、交流出力電力が過不足とならないように定電力に制御する構成とすることで、太陽電池の発電電力が過剰となった場合、系統連系インバータの内部損失の最小化させると共に、装置の内部発熱を低減、すなわち装置の長寿命化を図ることができるという効果のある系統連系インバータを提供できる。
【００５４】
さらに、直流−交流変換手段は、系統の電圧が所定電圧の範囲を超えた場合、交流出力電流が過不足とならないように定電流に制御する構成とすることで、太陽電池の発電電力が過剰となった場合、系統連系インバータの内部損失の最小化させると共に、装置の内部発熱を低減、すなわち装置の長寿命化を図ることができるという効果のある系統連系インバータを提供できる。
【００５５】
また、直流電圧最適化手段は、太陽電池などの直流発電手段の最大電力追従制御による発電電力の取り出し時の損失と電力変換による損失とを比較し、低損失の制御を優先して直流−直流変換手段の指令電流あるいは直流−交流変換手段の指令電流少なくとも何れか一方を制御する構成とすることで、系統連系インバータで内部損失となる太陽電池の発電電力の過剰な入力を抑えることができると共に、系統側に変換損失を加味した最大出力を行なうことができるという効果のある系統連系インバータを提供できる。
【発明を実施するための最良の形態】
【００５６】
本発明の請求項１記載の発明は、太陽電池などの直流発電手段により発電した直流電力を最適な電圧に昇圧する直流−直流変換手段と、前記直流−直流変換手段により変換した直流電力を交流電力に変換する直流−交流変換手段と、電力変換損失を最小化するように直流−交流変換手段を制御する直流電圧最適化手段を備える構成としたものであり、太陽電池の発電電力の有効利用率の向上と系統連系インバータの内部損失の最小化を両立することができるという作用を有する。
【００５７】
また、直流電圧最適化手段は、直流−直流変換手段の電力変換損失を最小化するように制御する構成としたものであり、太陽電池の発電電力の有効利用率の向上と系統連系インバータの直流−直流変換手段の損失の最小化を両立することができるという作用を有する。
【００５８】
さらに、直流電圧最適化手段は、直流−交流変換手段の電力変換損失を最小化するように制御する構成としたものであり、太陽電池の発電電力の有効利用率の向上と系統連系インバータの直流−交流変換手段の損失の最小化を両立することができるという作用を有する。
【００５９】
また、直流電圧最適化手段は、直流−直流変換手段と直流−交流変換手段の電力変換損失の総和を最小化するように制御する構成としたものであり、太陽電池の発電電力の有効利用率の向上と系統連系インバータの直流−直流変換手段及び直流−交流変換手段の損失の最小化を両立することができるという作用を有する。
【００６０】
さらに、直流電圧最適化手段は、太陽電池などの直流発電手段の発電電力に応じて電力変換損失を最小化するように直流−交流変換手段の入力電圧を上下変更する構成としたものであり、太陽電池の発電電圧を昇圧する直流−直流変換手段の変換効率を向上、すなわち電力変換損失の最小化と太陽電池の発電電力の有効利用率の向上を両立することができるという作用を有する。
【００６１】
また、直流電圧最適化手段は、太陽電池などの直流発電手段の発電電圧に応じて電力変換損失を最小化するように直流−交流変換手段の入力電圧を上下変更する構成としたものであり、太陽電池の発電電力を最大とする最適電圧に制御すると共に、直流−交流変換手段の入力電圧を最適に制御することができ、直流−交流変換手段の電力損失の最小化すなわち系統連系インバータの内部損失の最小化を両立することができるという作用を有する。
【００６２】
さらに、直流電圧最適化手段は、太陽電池などの直流発電手段の発電電流に応じて電力変換損失を最小化するように直流−交流変換手段の入力電圧を上下変更する構成としたものであり、太陽電池の発電電流による配線インピーダンスの損失を低減するように制御することができ、系統連系インバータの内部損失の最小化、及び太陽電池の最大電力追従制御を同時に行なうことで有効利用率を向上させることができるという作用を有する。
【００６３】
また、直流電圧最適化手段は、連系する系統の電圧に応じて電力変換損失を最小化するように直流−交流変換手段の入力電圧を上下変更する構成としたものであり、太陽電池の発電電力の有効利用率の向上と系統連系インバータの直流−交流変換手段の変換効率向上すなわち系統連系インバータの内部損失の最小化を両立することができるという作用を有する。
【００６４】
さらに、直流電圧最適化手段は、直流−交流変換手段の出力電流指令値に応じて電力変換損失を最小化するように直流−交流変換手段の入力電圧を上下変更する構成としたものであり、直流−交流変換手段の出力電流の目標値から、入力電圧を最適に制御することができ、系統連系インバータの内部損失の最小化と太陽電池の発電電力の有効利用率の向上を両立することができるという作用を有する。
【００６５】
また、直流電圧最適化手段は、直流−交流変換手段の入力電流に応じて電力変換損失を最小化するように直流−交流変換手段の入力電圧を上下変更する構成としたものであり、太陽電池の発電電力の有効利用率の向上と系統連系インバータの直流−直流変換手段と直流−交流変換手段の損失の最小化を両立することができるという作用を有する。
【００６６】
さらに、直流電圧最適化手段は、直流−交流変換手段の入力電力に応じて電力変換損失を最小化するように直流−交流変換手段の入力電圧を上下変更する構成としたものであり、太陽電池の発電電力の有効利用率の向上と直流−交流変換手段の損失の最小化を両立することができるという作用を有する。
【００６７】
また、直流電圧最適化手段は、連系する系統の電圧あるいは直流−交流変換手段の出力電流指令値あるいは直流−交流変換手段の入力電流あるいは直流−交流変換手段の入力電力の少なくとも何れか一つ以上と太陽電池などの直流発電手段の発電電力あるいは太陽電池などの直流発電手段の発電電圧あるいは太陽電池などの直流発電手段の発電電流の少なくとも何れか一つ以上に応じて電力変換損失を最小化するように直流−交流変換手段の入力電圧を上下変更する構成としたものであり、太陽電池の発電電力の有効利用率の向上と系統連系インバータの直流−直流変換手段及び直流−交流変換手段の損失の最小化を両立することができるという作用を有する。
【００６８】
さらに、直流−交流変換手段は、系統の電圧が所定電圧の範囲である場合、直流入力電圧が過不足とならないように定電圧に制御するように動作する構成としたものであり、太陽電池の発電電力の有効利用率の向上と系統連系インバータの直流−交流変換手段を単純な直流側の定電圧制御のみで制御できると共に、内部損失の最小化を両立することができるという作用を有する。
【００６９】
また、直流−交流変換手段は、系統の電圧が所定電圧の範囲を超えた場合、交流出力電力が過不足とならないように定電力に制御する構成としたものであり、太陽電池の発電電力が過剰となった場合、系統連系インバータの内部損失の最小化させると共に、装置の内部発熱を低減、すなわち装置の長寿命化を図ることができるという作用を有する。
【００７０】
さらに、直流−交流変換手段は、系統の電圧が所定電圧の範囲を超えた場合、交流出力電流が過不足とならないように定電流に制御する構成としたものであり、太陽電池の発電電力が過剰となった場合、系統連系インバータの内部損失の最小化させると共に、装置の内部発熱を低減、すなわち装置の長寿命化を図ることができるという作用を有する。
【００７１】
また、直流電圧最適化手段は、太陽電池などの直流発電手段の最大電力追従制御による発電電力の取り出し時の損失と電力変換による損失とを比較し、低損失の制御を優先して直流−直流変換手段の指令電流あるいは直流−交流変換手段の指令電流少なくとも何れか一方を制御する構成としたものであり、系統連系インバータで内部損失となる太陽電池の発電電力の過剰な入力を抑えることができると共に、系統側に変換損失を加味した最大出力を行なうことができるという作用を有する。
【００７２】
以下、本発明の実施の形態について図面を参照しながら説明する。
【００７３】
（実施の形態１）
図１は、本実施の形態１における系統連系インバータの構成図を示す。
【００７４】
図に示すように、系統連系インバータは、直流発電手段である太陽電池からの直流発電電力を最適な電圧に昇圧する直流−直流変換手段１と、直流−直流変換手段１により変換した直流電力を交流電力に変換する直流−交流変換手段２と、電力変換損失を最小化するように直流−交流変換手段２を制御する直流電圧最適化手段３を備えている。直流−直流変換手段１の構成は、直流リアクトル１ａと、直流電力をスイッチングするスイッチング素子１ｂと、逆流防止のためのダイオード１ｃと、平滑用コンデンサ１ｄを備えている。直流−直流変換手段１は、スイッチング素子１ｂにより直流電力をスイッチングし、スイッチング素子１ｂがオン期間の時に直流リアクトル１ａに充電し、オフ期間に逆流防止のためのダイオード１ｃを通して平滑用コンデンサ１ｄに電流が流れることになる。この時、直流リアクトル１ａの両端電圧と太陽電池の電圧が直列に接続されているため、スイッチング素子１ｂの両端電圧は太陽電池の電圧に対して昇圧されることとなる。この時のスイッチング素子１ｂのオンあるいはオフ周期を制御することにより、昇圧比率を最適に制御することができる。なお、直流発電手段としては、太陽電池の他、風力発電、燃料発電等がある。
【００７５】
次に直流−交流変換手段２は、スイッチング素子２ａから２ｄと、逆並列したダイオード２ｅから２ｈと出力フィルタ２ｉを備えている。直流−交流変換手段２は、スイッチング素子２ａから２ｄをスイッチング素子２ａ及び２ｄの組合せ、あるいはスイッチング素子２ｂ及び２ｃの組合せにてスイッチングし、出力フィルタ２ｉを通して系統電圧に同期した正弦波電流を出力することとなる。
【００７６】
次に、直流電圧最適化手段３の制御フローチャートについて図２を参照しながら説明する。図に示すように、直流電圧最適化手段３は、直流−直流変換手段１の電力変換損失を演算する。演算方法は（数１）に示すように、スイッチング素子１ｂの静損失とスイッチング素子１ｂのオン時、及びオフ時の動損失を演算する。
【００７７】
【数１】
2006101581.tif 000003
【００７８】
（数１）の中の静損失において、Ｉｐｅａｋはスイッチングの際の瞬時電流のピーク値を示し、Ｖｃｅはスイッチング素子１ｂのオン時のコレクタ〜エミッタ間の電圧を示す。また、（数１）の中の動損失において、Ｅｓｗ（ＯＮ）はオン時の損失を示し、Ｅｓｗ（ＯＦＦ）はオフ時の損失を示し、ｆｓｗはスイッチング周波数を示す。また、逆流防止のためのダイオード１ｃの損失において、Ｖｆはダイオード１ｃの順方向の電圧を示し、Ｉｄｃ＿ｉｎはダイオード１ｃに通流する電流を示す。さらに、（数１）の中の直流リアクトル１ａの損失において、ＩＬは直流リアクトル１ａを通流する電流を示し、ＶＬは直流リアクトル１ａの両端電圧を示す。
【００７９】
次に直流電圧最適化手段３は、直流−交流変換手段２の電力変換損失を演算する。演算方法は（数２）に示すように、スイッチング素子２ａから２ｄの静損失とスイッチング素子２ａから２ｄのオン時、及びオフ時の動損失を演算する。
【００８０】
【数２】
2006101581.tif 000004
【００８１】
（数２）の中の静損失において、Ｉｐｅａｋはスイッチングの際の瞬時電流のピーク値を示し、Ｖｃｅはスイッチング素子２ａから２ｄのオン時のコレクタ〜エミッタ間の電圧を示す。また、（数２）の中の動損失において、Ｅｓｗ（ＯＮ）はオン時の損失を示し、Ｅｓｗ（ＯＦＦ）はオフ時の損失を示し、ｆｓｗはスイッチング周波数を示す。また、逆並列されたダイオード２ｅから２ｈの損失において、ＤＶｅｃはダイオード２ｅから２ｈの順方向の電圧を示し、ｄｕｔｙはスイッチング素子２ａから２ｄのオン時間をスイッチング周期で除算した値を示す。また、出力フィルタ２ｉの損失は、一律出力容量ＰｏｕｔのＡ％として近似している。
【００８２】
また、太陽電池の電圧をＶｐｖ、中間直流電圧をＶｄｃ、交流電源電圧の瞬時値をＶａｃ（ｔ）とすると、相互の関係式は（数３）、（数４）に示すようになる。
【００８３】
【数３】
2006101581.tif 000005
【００８４】
【数４】
2006101581.tif 000006
【００８５】
ここで、各回路の損失の総和、すなわち装置の電力変換時の全損失は、前記の直流−直流変換手段１及び直流−交流変換手段２の総和であり、（数５）に示すようになる。
【００８６】
【数５】
2006101581.tif 000007
【００８７】
この時、（数５）が最小となるＶｄｃは、Ｖｄｃについて微分し、各部品により決定される値、及び一時刻前の各値を入力することで演算することができる。ここで演算したＶｄｃを目標値として、実際の中間直流電圧Ｖｄｃ（ｔ）との偏差を演算し、比例積分制御を行なうことで、直流−交流変換手段２の出力指令電流を演算する。演算した出力指令電流を直流−交流変換手段２に出力することで直流電圧Ｖｄｃ（ｔ）を指令電圧すなわち目標電圧Ｖｄｃに制御できることとなる。
【００８８】
以上のように、本実施の形態１によれば、太陽電池により発電した直流電力を最適な電圧に昇圧する直流−直流変換手段１と、直流−直流変換手段１により変換した直流電力を交流電力に変換する直流−交流変換手段２と、電力変換損失を最小化するように直流−交流変換手段２を制御する直流電圧最適化手段３を備えることで、装置全体の内部損失を最小化することができると共に、直流−直流変換手段１による最大電力追従制御により太陽電池の発電電力の有効利用率の向上を両立することができることとなる。
【００８９】
なお、直流発電手段は太陽電池としたが、燃料電池、風力発電と交流−直流変換手段を組み合わせたものであっても作用効果に差異はない。
【００９０】
（実施の形態２）
図３は、本実施の形態２における直流電圧最適化手段３の制御フローチャートについて示す。
【００９１】
図に示すように、直流電圧最適化手段３は、一時刻前の太陽電池の発電電力を検出、記憶する。次に、直流電圧最適化手段３は、直流−直流変換手段１の電力変換損失を演算する。演算方法は（数１）に示す通りである。本電力変換損失が最小となる直流電圧Ｖｄｃを算出し、Ｖｄｃの指令電圧とする。この指令電圧Ｖｄｃと実際の中間直流電圧Ｖｄｃ（ｔ）との偏差を演算し、比例積分制御を行なうことで、直流−直流変換手段１の制御を行なうこととなる。
【００９２】
以上のように、本実施の形態２によれば、直流電圧最適化手段３を、太陽電池などの直流発電手段の発電電力に応じて直流−交流変換手段２の入力電圧を上下変更する構成とすることで、太陽電池の発電電圧を昇圧する直流−直流変換手段１の変換効率を向上、すなわち電力変換損失の最小化と太陽電池の発電電力の有効利用率の向上を両立することができることとなる。
【００９３】
（実施の形態３）
図４は、本実施の形態３における直流電圧最適化手段３の制御フローチャートについて示す。
【００９４】
図に示すように、直流電圧最適化手段３は、一時刻前の太陽電池の発電電圧を検出、記憶する。次に、直流電圧最適化手段３は、一時刻前の太陽電池の発電電流を検出、記憶する。検出した発電電流から直流−直流変換手段１の電力変換損失を演算する。演算方法は（数１）に示す通りである。本電力変換損失が最小となる直流電圧Ｖｄｃを算出し、Ｖｄｃの指令電圧とする。この指令電圧Ｖｄｃと実際の中間直流電圧Ｖｄｃ（ｔ）との偏差を演算し、比例積分制御を行なうことで、直流−直流変換手段１の制御を行なうこととなる。
【００９５】
以上のように、本実施の形態３によれば、直流電圧最適化手段３を、太陽電池などの直流発電手段の発電電力に応じて直流−交流変換手段２の入力電圧を上下変更する構成とすることで、太陽電池の発電電圧を昇圧する直流−直流変換手段１の変換効率を向上、すなわち電力変換損失の最小化と太陽電池の発電電力の有効利用率の向上を両立することができることとなる。
【００９６】
（実施の形態４）
図５は、本実施の形態４における直流電圧最適化手段３の制御フローチャートについて示す。
【００９７】
図に示すように、直流電圧最適化手段３は、連系する系統の電圧を検出する。検出した系統の電圧から直流−交流変換手段２の変換損失を最小とする最適な直流電圧Ｖｄｃを演算する。最適な直流電圧Ｖｄｃの演算方法は、（数６）に示す通りである。
【００９８】
【数６】
2006101581.tif 000008
【００９９】
（数６）により計算したＶｄｃを目標電圧として、実際の中間直流電圧Ｖｄｃ（ｔ）との偏差を演算し、比例積分制御を行なうことで、直流−直流変換手段１の制御を行なうこととなる。ここで、（数６）のＶｋは電流出力のための余裕電圧を示す。
【０１００】
以上のように、本実施の形態４によれば、直流電圧最適化手段３を、連系する系統の電圧の高低に応じて直流−交流変換手段２の入力電圧を上下変更する構成とすることで、直流−交流変換手段２の変換効率を向上、すなわち電力変換損失の最小化と太陽電池の発電電力の有効利用率の向上を両立することができることとなる。
【０１０１】
（実施の形態５）
図６は、本実施の形態５における直流電圧最適化手段３の制御フローチャートについて示す。
【０１０２】
図に示すように、直流電圧最適化手段３は、一時刻前の連系する系統への出力電流指令値を入力する。次に、一時刻前の太陽電池の発電電力を入力し、入力した太陽電池の発電電力と出力電流指令値により中間直流電圧の目標電圧Ｖｄｃを演算する。中間直流電圧の目標電圧Ｖｄｃの演算方法は（数７）の通りである。
【０１０３】
【数７】
2006101581.tif 000009
【０１０４】
この目標電圧Ｖｄｃと実際の中間直流電圧Ｖｄｃ（ｔ）との偏差を演算し、比例積分制御を行なうことで、直流−直流変換手段１の制御を行なうこととなる。
【０１０５】
以上のように、本実施の形態５によれば、直流電圧最適化手段３を、連系する直流−交流変換手段２の出力電流指令値に応じて中間直流電圧を上下変更する構成とすることで、電力変換損失の最小化と太陽電池の発電電力の有効利用率の向上を両立することができることとなる。
【０１０６】
（実施の形態６）
図７は、本実施の形態６における直流電圧最適化手段３の制御フローチャートについて示す。
【０１０７】
図に示すように、直流電圧最適化手段３は、一時刻前の直流−交流変換手段２の入力電流を入力する。次に、入力した入力電流により、直流−直流変換手段１の電力損失は（数１）で演算することができる。さらに、直流−交流変換手段２の電力変換損失を（数２）により演算することができ、直流−直流変換手段１と直流−交流変換手段２の電力損失の総和は、（数１）と（数２）の総和となる。（数１）と（数２）の総和を直流電圧で微分し、電力損失の最小点を演算することで、Ｖｄｃの最適動作点を算出することができる。
【０１０８】
以上のように、本実施の形態６によれば、直流電圧最適化手段３を、直流−交流変換手段２の入力電流に応じて直流−交流変換手段２の入力電圧を上下変更することができ、電力変換損失の最小化と太陽電池の発電電力の有効利用率の向上を両立することができることとなる。
【０１０９】
（実施の形態７）
図８は、本実施の形態７における直流電圧最適化手段３の制御フローチャートについて示す。
【０１１０】
図に示すように、直流電圧最適化手段３は、一時刻前の直流−交流変換手段２の入力電流を入力する。次に、入力した入力電流と一時刻前の直流電圧から入力する直流電力を演算する。演算した直流電力を連系する系統電圧にて除算することで出力指令電流を演算し、さらに直流−交流変換手段２の電力損失を（数２）により演算することができる。直流−直流変換手段１の電力変換損失は、（数１）により演算することができるため、電力変換損失の総和は（数１）、（数２）の総和となる。（数１）と（数２）の総和を直流電圧で微分し、電力損失の最小点を演算することで、Ｖｄｃの最適動作点を算出することができる。
【０１１１】
以上のように、本実施の形態７によれば、直流電圧最適化手段３を、直流−交流変換手段２の入力電力に応じて直流−交流変換手段２の入力電圧を上下変更することができ、電力変換損失の最小化と太陽電池の発電電力の有効利用率の向上を両立することができることとなる。
【０１１２】
（実施の形態８）
図９は、本実施の形態８における直流電圧最適化手段３の制御フローチャートについて示す。
【０１１３】
図に示すように、直流電圧最適化手段３は、一時刻前の連系する系統の電圧を入力する。入力した系統の電圧が所定電圧範囲であるか否かを判定し、所定範囲内でなければ処理を抜ける。所定範囲内であれば、直流−交流変換手段２は中間直流電圧Ｖｄｃの一定制御とする。中間直流電圧Ｖｄｃの目標電圧は、直流−直流変換手段１の中間直流電圧の目標値より△Ｖ低い値とする。目標電圧（Ｖｄｃ−△Ｖ）と実際の中間直流電圧Ｖｄｃ（ｔ）との偏差を演算し、比例積分制御を行なうことで、直流−交流変換手段２の制御を行なうこととなる。
【０１１４】
以上のように、本実施の形態８によれば、系統の電圧が所定電圧の範囲である場合、直流入力電圧を定電圧に制御するように動作する構成とすることで、太陽電池の発電電力の有効利用率の向上と系統連系インバータの直流−交流変換手段を単純な直流側の定電圧制御のみで制御できると共に、内部損失の最小化を両立することができることとなる。
【０１１５】
（実施の形態９）
図１０は、本実施の形態９における直流電圧最適化手段３の制御フローチャートについて示す。
【０１１６】
図に示すように、直流電圧最適化手段３は、一時刻前の連系する系統の電圧を入力する。入力した系統の電圧が所定電圧範囲であるか否かを判定し、所定範囲内であれば処理を抜ける。所定範囲内でなければ、直流−交流変換手段２は出力電力が定電力となるように制御する。この場合、定電力制御は、直流−交流変換手段２の出力電流目標値を固定し、系統電圧の上限目標値と実際の系統電圧との比例積分制御により演算した出力電流目標値とを比較し、何れか小さい方を出力電流目標値の最終的な値とする。
【０１１７】
以上のように、本実施の形態９によれば、系統の電圧が所定電圧の範囲を超えた場合、交流出力電力を定電力に制御する構成とすることで、太陽電池の発電電力が過剰となった場合であっても、電力変換における内部損失の最小化を両立することができることとなる。
【０１１８】
（実施の形態１０）
図１１は、本実施の形態１０における直流電圧最適化手段３の制御フローチャートについて示す。
【０１１９】
図に示すように、直流電圧最適化手段３は、一時刻前の連系する系統の電圧を入力する。入力した系統の電圧が所定電圧範囲であるか否かを判定し、所定範囲内であれば処理を抜ける。所定範囲内でなければ、直流−交流変換手段２は出力電流が定電流となるように制御する。この場合、定電流制御は、直流−交流変換手段２の出力電流目標値を固定し、系統電圧の上限目標値と実際の系統電圧との比例積分制御により演算した出力電流目標値とを比較し、何れか小さい方を出力電流目標値の最終的な値とする。
【０１２０】
以上のように、本実施の形態１０によれば、系統の電圧が所定電圧の範囲を超えた場合、交流出力電力を定電力に制御する構成とすることで、太陽電池の発電電力が過剰となった場合であっても、電力変換における内部損失の最小化を両立することができることとなる。
【０１２１】
（実施の形態１１）
図１２は、本実施の形態１１における直流電圧最適化手段３の制御フローチャートについて示す。
【０１２２】
図に示すように、直流電圧最適化手段３は、一時刻前の直流−交流変換手段２の出力電力を入力する。次に一時刻前の発電電力を入力し、発電電力と出力電力の差を演算し、電力変換損失を演算する。次に、太陽電池の特性曲線から電流指令によって変動する取得電力を演算する。ここで、太陽電池の発電電力は秒オーダーでの変動であるため、指令値演算の制御周期では、取得できる発電電力に影響はないと仮定し、一時刻前の特性曲線に応じた発電が得られるものとして近似している。次に演算した取得電力曲線と一時刻前の発電電力との偏差を演算する。さらにその電流指令値の時の電力変換損失を（数１）及び（数２）により演算する。最終的に最大電力追従からの電流値の変更による取り出し損失と、直流−直流変換手段１と直流−交流変換手段２の電力変換損失の総和を加算し、総合損失を演算する。演算した総合損失が、一時刻前の最大電力追従制御すなわち最大電力追従からの電流値の変更による取り出し損失がゼロの時と比較して少なければ、最大電力追従制御を中止して電流スライドを行なう。その時の中間直流電圧目標値Ｖｄｃをセットして直流−直流変換手段１と直流−交流変換手段２の制御を行なう。中間直流電圧制御は、一時刻前の中間直流電圧と目標電圧の偏差を演算して比例積分制御を行なうことで実施する。
【０１２３】
以上のように、本実施の形態１１によれば、太陽電池などの直流発電手段の最大電力追従制御による発電電力の取り出し時の損失と電力変換による損失とを比較し、低損失の制御を優先して制御することとなり、系統連系インバータで内部損失となる太陽電池の発電電力の過剰な入力を抑えることができると共に、系統側に変換損失を加味した最大出力を行なうことができることとなる。
【産業上の利用可能性】
【０１２４】
太陽電池や燃料電池を用いた発電手段を、系統に接続する系統連系インバータに対して最大電力追従のみでなく、電力変換装置における変換損失を最小化することができるため、分散型電源、あるいは独立電源の用途にも適用できる。
【図面の簡単な説明】
【０１２５】
【図１】本発明の実施の形態１の系統連系インバータの構成図
【図２】同直流電圧最適化手段３の制御フローチャート
【図３】本発明の実施の形態２の直流電圧最適化手段３の制御フローチャート
【図４】本発明の実施の形態３の直流電圧最適化手段３の制御フローチャート
【図５】本発明の実施の形態４の直流電圧最適化手段３の制御フローチャート
【図６】本発明の実施の形態５の直流電圧最適化手段３の制御フローチャート
【図７】本発明の実施の形態６の直流電圧最適化手段３の制御フローチャート
【図８】本発明の実施の形態７の直流電圧最適化手段３の制御フローチャート
【図９】本発明の実施の形態８の直流電圧最適化手段３の制御フローチャート
【図１０】本発明の実施の形態９の直流電圧最適化手段３の制御フローチャート
【図１１】本発明の実施の形態１０の直流電圧最適化手段３の制御フローチャート
【図１２】本発明の実施の形態１１の直流電圧最適化手段３の制御フローチャート
【図１３】従来の電源装置（系統連系インバータ）の構成図
【符号の説明】
【０１２６】
１    直流−直流変換手段
１ａ  直流リアクトル
１ｂ  スイッチング素子
１ｃ  ダイオード
１ｄ  平滑用コンデンサ
２    直流−交流変換手段
２ａ〜２ｄ  スイッチング素子
２ｅ〜２ｈ  ダイオード
２ｉ  出力フィルタ
３    直流電圧最適化手段
【図１】
2006101581.tif 000010
【図２】
2006101581.tif 000011
【図３】
2006101581.tif 000012
【図４】
2006101581.tif 000013
【図５】
2006101581.tif 000014
【図６】
2006101581.tif 000015
【図７】
2006101581.tif 000016
【図８】
2006101581.tif 000017
【図９】
2006101581.tif 000018
【図１０】
2006101581.tif 000019
【図１１】
2006101581.tif 000020
【図１２】
2006101581.tif 000021
【図１３】
2006101581.tif 000022